(57)【要約】【課題】作業性が向上された照明装置を提供する。【解決手段】照明装置１０は、主面２１ａを有する平板状のベース部２１及び側壁部２２を有する本体２０と、本体２０に配置される発光部３０と、筒体（立設部）５２を有し、発光部３０が出射する光を透過する透光カバー５０と、透光カバー５０を本体２０と着脱可能に係止（仮止め）し、筒体５２及び側壁部２２の一方に形成された溝部９０に配置される第一弾性体１００と、を備える。溝部９０は、筒体５２及び側壁部２２の一方の端部から主面２１ａに交差する方向へ延在する第一溝部９１と、主面２１ａに平行な方向へ延在する第一溝部９１と連通された第二溝部９２とを含む。第一弾性体１００は、第一溝部９１に配置される。筒体及び側壁部２２の他方は、透光カバー５０が本体２０に保持される過程で第一弾性体１００に仮止めされる第一凸部１１０ａを有する。【選択図】図１０
2018077995.tif 000002
【特許請求の範囲】
【請求項１】
主面を有するベース部と、前記ベース部の周縁で前記主面に対して垂直な方向に立設される側壁部とを有する本体と、
前記本体に配置される発光部と、
前記側壁部に平行な方向に立設される立設部を有し、前記発光部が出射する光を透過する透光カバーと、
前記透光カバーを前記本体と着脱可能に係止し、前記立設部及び前記側壁部の一方の側面に形成された溝部に配置される第一弾性体と、を備え、
前記溝部は、前記立設部及び前記側壁部の一方の側面の端部から前記主面に交差する方向へ延在する第一溝部と、前記ベース部の主面に平行な方向へ延在する前記第一溝部と連通された第二溝部とを含み、
前記第一弾性体は、前記第一溝部に配置され、
前記立設部及び前記側壁部の他方は、前記透光カバーが前記本体に保持される過程で前記第一弾性体に仮止めされる第一凸部を有する
照明装置。
【請求項２】
前記第一溝部は、前記立設部及び前記側壁部の一方の端部から前記ベース部の主面に対して垂直な方向へ延在し、さらに、当該垂直な方向に対して傾斜して延在し前記第二溝部と連通する
請求項１に記載の照明装置。
【請求項３】
さらに、前記第二溝部に配置される第二弾性体を備え、
前記立設部及び前記側壁部の他方は、前記透光カバーが前記本体に保持された状態において、前記第二弾性体に係止される第二凸部を有する
請求項１又は２に記載の照明装置。
【請求項４】
側面視において、
前記第一凸部は、前記ベース部の主面に対して平行な方向に長尺であり、
前記第二凸部は、前記ベース部の主面に対して垂直な方向に長尺である
請求項３に記載の照明装置。
【請求項５】
前記第一凸部及び前記第二凸部は、前記立設部及び前記側壁部の他方の側面から連続して突出されている
請求項４に記載の照明装置。
【請求項６】
側面視において、前記第一弾性体に前記第一凸部が仮止めされている状態のとき、前記側壁部の一部は、前記側壁部の一部と前記立設部との間に隙間が形成されるように、側壁部の他部より前記ベース部の主面からの高さが低く形成される
請求項１〜５のいずれか１項に記載の照明装置。
【請求項７】
さらに、前記発光部が載置され、前記本体に着脱可能に取り付けられる取付け板を備える
請求項１〜６のいずれか１項に記載の照明装置。
【請求項８】
前記取付け板は、前記発光部が載置される載置面、及び、前記発光部が出射する光を反射する、前記載置面の周囲に配置された反射面を有する
請求項７に記載の照明装置。
【請求項９】
平面視した場合に、前記発光部は前記取付け板の略中央に配置され、
前記取付け板は、前記発光部から離れるにつれて開口面積が広がる漏斗形状である
請求項７又は８に記載の照明装置。
【請求項１０】
さらに、前記取付け板に覆われて前記ベース部に載置され、前記発光部に電力を供給する蓄電池を備える
請求項７〜９のいずれか１項に記載の照明装置。
【発明の詳細な説明】
【技術分野】
【０００１】
本発明は、照明装置に関する。
【背景技術】
【０００２】
近年、ＬＥＤ（Ｌｉｇｈｔ  Ｅｍｉｔｔｉｎｇ  Ｄｉｏｄｅ）照明装置が普及しつつある。例えば特許文献１には、放熱体及びＬＥＤの電源部を備え、放熱体の前面および側面のいずれにもＬＥＤを取付可能とする照明装置が開示されている。また、当該照明装置は、放熱体との間で光源および電源部を覆い、放熱体に対して密閉状態に取り付けられる透光カバーを具備している。
【先行技術文献】
【特許文献】
【０００３】
【特許文献１】特開２００９−０３７８２０号公報
【発明の概要】
【発明が解決しようとする課題】
【０００４】
ところで、照明装置が備える光源の交換等のために、壁、天井等の構造物に固定される照明装置の本体と透光カバーとが着脱可能に取り付けられる場合がある。その場合、照明装置には、透光カバーを本体に取り付ける作業者の作業性の向上が要求される。
【０００５】
本発明は、作業性が向上された照明装置を提供する。
【課題を解決するための手段】
【０００６】
本発明の一態様に係る照明装置は、主面を有するベース部と、前記ベース部の周縁で前記主面に対して垂直な方向に立設される側壁部とを有する本体と、前記本体に配置される発光部と、前記側壁部に平行な方向に立設される立設部を有し、前記発光部が出射する光を透過する透光カバーと、前記透光カバーを前記本体と着脱可能に係止し、前記立設部及び前記側壁部の一方の側面に形成された溝部に配置される第一弾性体と、を備え、前記溝部は、前記立設部及び前記側壁部の一方の側面の端部から前記主面に交差する方向へ延在する第一溝部と、前記ベース部の主面に平行な方向へ延在する前記第一溝部と連通された第二溝部とを含み、前記第一弾性体は、前記第一溝部に配置され、前記立設部及び前記側壁部の他方は、前記透光カバーが前記本体に保持される過程で前記第一弾性体に仮止めされる第一凸部を有する。
【発明の効果】
【０００７】
本発明によれば、作業性が向上された照明装置が実現される。
【図面の簡単な説明】
【０００８】
【図１】図１は、実施の形態に係る照明装置の下方から見た外観斜視図である。
【図２】図２は、実施の形態に係る照明装置の下方から見た分解斜視図である。
【図３】図３は、取付け板に取り付けられる構成要素を取付け板から取り外した図である。
【図４】図４は、実施の形態に係る照明装置の断面図である。
【図５】図５は、取付け板が本体に取付けられる際の、取付け板の動きを示す図である。
【図６】図６は、実施の形態に係る照明装置の上方から見た分解斜視図である。
【図７】図７は、図６の破線ＶＩＩで囲まれた領域を示す部分拡大図である。
【図８】図８は、透光カバーが本体に仮止めされた状態を示す外観斜視図である。
【図９】図９は、図８のＩＸ−ＩＸ線に沿って切断された照明装置を示す断面図である。
【図１０】図１０は、図６の破線ＶＩＩで囲まれた領域における透光カバーが本体に取り付けられるまでの過程を示す部分拡大図である。
【発明を実施するための形態】
【０００９】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１０】
また、各図は、模式図であり、必ずしも厳密に図示されたものではない。なお、各図において、実質的に同一の構成に対しては同一の符号を付しており、重複する説明は省略または簡略化される場合がある。
【００１１】
以下の実施の形態の図面においては、Ｙ軸方向は、例えば上下方向（鉛直方向）であり、Ｙ軸正方向側は、上側または天井側と記載される場合がある。また、Ｙ軸負方向側は、下側または光出射側と記載される場合がある。また、Ｘ軸方向及びＺ軸方向は、Ｙ軸に垂直な平面（水平面）上において、互いに直交する方向である。また、以下の実施の形態において、平面視とは、Ｙ軸方向から見ることを意味する。
【００１２】
（実施の形態）
まず、実施の形態に係る照明装置の構成について詳細に説明する。図１は、実施の形態に係る照明装置の下方から見た外観斜視図である。図２は、実施の形態に係る照明装置の下方から見た分解斜視図である。図３は、実施の形態に係る照明装置が備える取付け板に取り付けられる構成要素を取付け板から取り外した図である。図４は、実施の形態に係る照明装置の断面図である。図５は、取付け板が本体に取付けられる際の、取付け板の動きを示す図である。
【００１３】
図１〜図４に示されるように、照明装置１０は、本体２０と、発光部３０と、取付け板４０と、透光カバー５０と、蓄電池６０と、制御ユニット７０と、端子台８０と、を備える。
【００１４】
照明装置１０は、例えば、マンションの共用部などの半屋外空間で使用される、防災用（非常用）の照明装置である。照明装置１０は、具体的には、シーリングライトとして天井やブラケットライトとして壁面などの施工面に取り付けられる。本実施の形態においては、照明装置１０の平面視形状は、円形である。
【００１５】
本体２０は、天井又は壁面などの構造物の施工面に取り付けられる部材であり、言い換えれば、取付台である。本体２０は、例えば、アルミダイカスト等によって形成されるが、その他の金属、又は樹脂によって形成されてもよい。本体２０は、平面視形状が円形の平板状のベース部２１と、ベース部２１の周縁近傍の下側に、ベース部２１の主面２１ａに対して垂直な方向に立設した側壁部２２とを含む有底筒体である。
【００１６】
ベース部２１は、本体２０を構造物に取り付けるための取付構造（開口）が設けられている。ベース部２１は、平板状であり、主面２１ａとは反対側の面が、構造物の施工面に取り付けられる。なお、構造物の施工面と、上述した蓄電池６０等の照明装置１０の構成部材が載置される面とは、略平行となる。また、以下の実施の形態では、本体２０（照明装置１０）は、天井に取り付けられるものとして説明が行われる。ベース部２１には、脚部２３が２つ取り付けられる。
【００１７】
脚部２３は、ベース部２１の周縁近傍に配置され、一方の端部（下側の端部）は取付け板４０が有する接続部４１に接続され、他方の端部（上側の端部）は構造物の施工面に対して垂直な方向に立設された状態で接続される。言い換えれば、脚部２３は、取付け板４０を本体２０に取り付けるための部材である。２つの脚部２３は、ベース部２１の周縁近傍に対向して配置される。このように、取付け板４０が脚部２３によってベース部２１に接続される構造とすることで、発光部３０が発する熱は、取付け板４０、脚部２３、ベース部２１の順に伝わる。したがって、発光部３０がベース部２１に直接載置される構造よりも、発光部３０が発する熱がベース部２１に伝わりにくい効果が得られる。脚部２３は、コの字状（Ｕ字状、ブラケット状）に折り曲げられた板材である。脚部２３は、板ばね２４と、支持板２５とを備える。
【００１８】
板ばね２４は、取付け板４０を着脱可能に保持する、変形した際に元の形状に戻ろうとする復元力（ばね復元力）を有した弾性体である。具体的には、板ばね２４に形成された凸状の突起である係合部２４ａが取付け板４０の接続部４１に形成された開口（貫通孔）である被係合部４１ａに係合することにより、取付け板４０は板ばね２４に保持される。板ばね２４は、例えば、ステンレス鋼材等の金属材料によって形成される。
【００１９】
支持板２５は、板ばね２４を支持する板材であり、板ばね２４よりも剛性が高い金属材料で形成される。例えば、支持板２５は、板ばね２４よりも弾性率が高い金属材料で形成されることにより、高い剛性を有する。一具体例としては、支持板２５は、亜鉛めっきされた鋼板によって形成される。なお、支持板２５は、板ばね２４よりも剛性が高ければよく、板ばね２４と同一の材料を用いてもよい。その場合、板ばね２４及び／又は支持板２５の、形状、サイズなどを適宜調整すればよい。
【００２０】
また、支持板２５の一方の端部は、照明装置１０の内方に向かって直角に折れ曲がっている。支持板２５の一方の端部が折れ曲がることにより略水平になった部分である規制部２５ｂには、取付け板４０が載置される。つまり、規制部２５ｂは、照明装置１０の脚部２３（具体的には支持板２５）の一方の端部が折れ曲がって形成された部分である。脚部２３が規制部２５ｂを有することにより、作業者は、脚部２３に取付け板４０を取り付ける際に、取付け板４０を設置する位置を認識しやすい。また、照明装置１０が構造物の壁又は天井に取り付けられた際にも、規制部２５ｂによって取付け板４０の動きが規制される。具体的には、規制部２５ｂによって、取付け板４０は、構造物の施工面に対して遠ざかる方向への動きが規制される。そのため、取付け板４０が本体２０に取り付けられている状態においては、取付け板４０は、規制部２５ｂに支持される。本実施の形態においては、取付け板４０が本体２０に取り付けられている状態において、取付け板４０は、規制部２５ｂに載置されている。規制部２５ｂに載置された取付け板４０は、板ばね２４によって本体２０に保持される。また、支持板２５の他方の端部は、照明装置１０の内方に向かって直角に折れ曲がっており、ベース部２１にネジ止めされる。
【００２１】
なお、支持板２５は、本体２０とは別体であるが、本体２０と一体形成されてもよい。この場合、支持板２５は、本体２０の一部としてアルミダイカストによって形成される。
【００２２】
本体２０のベース部２１には、蓄電池６０、制御ユニット７０及び端子台８０が載置される。
【００２３】
蓄電池６０は、発光部３０に電力を供給する電源である。蓄電池６０は、例えば、外部からの交流電力の供給が停止されたときに、非常用の電源として使用される。蓄電池６０は、例えば、ニッケル水素電池である。蓄電池６０は、充電及び放電が可能な電池であればよく、リチウムイオン電池又は鉛蓄電池等であってもよい。蓄電池６０は、蓄電池カバー６１によって下方から覆われる。蓄電池カバー６１は、例えば、アルミダイカストによって形成されるが、樹脂によって形成されてもよい。
【００２４】
制御ユニット７０は、照明装置１０の外部から供給される交流電力を直流電力に変換して発光部３０に供給する電源回路ユニットである。制御ユニット７０は、具体的には、基板に回路部品が実装されることにより形成された電源回路と、樹脂製のカバーとを有する。電源回路は、整流回路及びインバータ回路などを含む。制御ユニット７０は、例えば、ベース部２１の下面に載置された状態でベース部２１にネジ止めされる。
【００２５】
端子台８０は、外部交流電源と制御ユニット７０とを電気的に接続させるために電線が差し込まれる１又は複数の端子が配設された端子ユニットである。交流電力は、端子台８０に差し込まれた電線を介して外部交流電源から制御ユニット７０へ供給される。
【００２６】
また、電源回路には、蓄電池６０を充電する充電回路が含まれる。充電回路は、照明装置１０の外部から供給される交流電力を蓄電池６０の充電に適した直流電力に変換し、直流電力によって蓄電池６０を充電する。実施の形態では、照明装置１０においては、停電時などの非常時においても照明装置１０の使用が可能なように蓄電池６０はトリクル充電される。
【００２７】
また、電源回路には、外部からの交流電力の供給の停止（停電）を検出する検出回路、及び、蓄電池６０を放電する放電回路も含まれる。検出回路によって停電が検出されると、放電回路は、蓄電池６０を放電させる。この結果、蓄電池６０は、発光部３０に直流電力を供給する。これにより、照明装置１０は、停電時も発光を継続することができる。
【００２８】
端子台８０は、外部交流電源と制御ユニット７０とを電気的に接続させるために電線が差し込まれる１又は複数の端子が配設された端子ユニットである。交流電力は、端子台８０に差し込まれた電線を介して外部交流電源から制御ユニット７０へ供給される。
【００２９】
発光部３０は、照明光を出射する照明装置１０の照明用光源として機能する。発光部３０は、具体的には、基板上に実装されたＬＥＤチップが、蛍光体を含有する透光性樹脂によって封止されたＣＯＢ（Ｃｈｉｐ  Ｏｎ  Ｂｏａｒｄ）型の発光モジュール３１を備える。発光部３０は、円形の発光領域を有する。本実施の形態においては、発光部３０は、さらに、配光を制御するためのレンズ３３、及び、発光部３０を取付け板４０にネジ止めするためのホルダ３２を備える。発光部３０は、例えば、白色光を主とした照明光を下方に向けて出射する。つまり、発光部３０は、白色光を透光カバー５０に向けて出射する。
【００３０】
また、発光部３０は、透光カバー５０が備える光透過部材５１と取付け板４０との間に配置される。また、平面視した場合に、発光部３０は取付け板４０下面の略中央に位置する載置面４２ａに配置される。発光部３０は、取付け板４０の載置面４２ａに載置され、載置面４２ａにねじ止めされる。なお、図示されないが、発光部３０は、蓄電池６０及び制御ユニット７０とリード線などによって電気的に接続される。
【００３１】
ところで、上述したように照明装置が備える光源の交換等のために、壁、天井等の構造物に固定される照明装置の本体と、照明装置が備える照明装置の構成部品とが着脱可能に取り付けられる場合がある。実施の形態に係る照明装置１０においては、照明装置１０は蓄電池６０を備える。蓄電池が内蔵された例えば防災用（非常用）の照明装置は、定期的に蓄電池の状態を確認する必要がある。この際に、蓄電池が、蓄電池に要求される能力を満たしていないことが確認された場合、蓄電池は交換される必要がある。そのために、照明装置１０においては、本体２０に取り付けられている蓄電池６０を交換しやすくするために、取付け板４０及び透光カバー５０は本体２０と着脱可能に取り付けられている。
【００３２】
取付け板４０は、発光部３０を保持し、本体２０に着脱可能に保持される取付け部材である。具体的には、取付け板４０は、施工面に対して平行な方向にスライド挿入されることにより、脚部２３の一方の端部に着脱可能に取り付けられる。また、取付け板４０は、ベース部２１に載置された蓄電池６０、制御ユニット７０及び端子台８０を覆うように本体２０に取り付けられる。言い換えると、蓄電池６０、制御ユニット７０及び端子台８０は、取付け板４０に覆われて本体２０に載置される。また、取付け板４０は、発光部３０の光軸方向（Ｙ軸方向）において、本体２０（具体的にはベース部２１）と透光カバー５０（具体的には透光カバー５０が備える光透過部材５１）との間に配置される。図４に示されるように、取付け板４０とベース部２１との間、及び、取付け板４０と光透過部材５１との間のそれぞれには、空隙（空気層）が配置される。つまり、取付け板４０は、本体２０及び光透過部材５１のいずれの部材とも直接接触しない。このように、発光部３０が取付け板４０の載置面４２ａに載置される構造によれば、発光部３０がベース部２１に載置される構造よりも、発光部３０が発する熱がベース部２１に伝わりにくい効果が得られる。
【００３３】
また、取付け板４０は、上方（ベース部２１側）に向かうほど縮径する略漏斗状である。言い換えると、取付け板４０は、発光部３０から離れるにつれて開口面積が広がる漏斗形状である。取付け板４０は、例えば、アルミニウムによって形成されるが、その他の金属又は樹脂によって形成されてもよい。
【００３４】
図３に示されるように、取付け板４０は、載置面４２ａ及び反射面４２ｂを有する。
【００３５】
載置面４２ａは、取付け板４０の略中心部に位置し、発光部３０が載置される平面である。載置面４２ａの平面視形状は、特に限定されるものではないが、本実施の形態においては円形である。発光部３０は、載置面４２ａに載置されることにより、光透過部材５１と取付け板４０との間に位置する。
【００３６】
なお、発光部３０と載置面４２ａとの間には、放熱シートなどの放熱部材が配置されてもよい。
【００３７】
また、取付け板４０のうち載置面４２ａの反対側の面、つまり、載置面４２ａと背向する面には、ヒートシンクが配置されてもよい。ヒートシンクによれば、発光部３０が発光中に発する熱を当該ヒートシンクに逃がすことができる。ヒートシンクは、例えば、アルミダイカストによって形成されるが、その他の金属によって形成されてもよい。
【００３８】
また、取付け板４０は、発光部３０が出射する光を反射する反射面４２ｂを有する。本実施の形態においては、取付け板４０は、発光部３０が出射する光を反射する反射板である。反射面４２ｂは、載置面４２ａの周囲を囲むように載置面４２ａと連続的に形成された面であり、発光部３０が出射する光の一部を光透過部材５１に向けて反射する。反射面４２ｂは、径方向において一部が湾曲したテーパ面である。
【００３９】
取付け板４０の周縁部には、一対の接続部４１が対向して配置される。接続部４１は、脚部２３の端部に対応して本体２０に向かって直角に折れ曲がっている。このように、接続部４１が、脚部２３の端部に対応して折れ曲がっていることにより、取付け板４０の取り付け位置が脚部２３の端部であることを照明装置１０の設置作業者に認識させることができる。なお、取付け板４０の周縁部４４に配置される接続部４１の数は特に限定されるものではない。接続部４１には、被係合部４１ａが形成される。
【００４０】
被係合部４１ａは、板ばね２４に形成された係合部２４ａが係合する孔である。なお、被係合部４１ａは、係合部２４ａが係合すればよく、貫通孔ではなく、凹形状が形成されてもよい。また、被係合部４１ａと係合部２４ａとが係合すればよく、接続部４１に突起した形状の突出部が形成され、板ばね２４に板ばね２４を貫通する孔が形成されてもよい。
【００４１】
なお、取付け板４０には、取付け板４０が脚部２３に取り付けられる際に、係合部２４ａと被係合部４１ａとが適切に係合されるために取付け板４０の動きを制限する構造である係止部が設けられてもよい。具体的には、係止部は、脚部２３に取付け板４０が取り付けられる方向とは反対側（Ｘ軸負方向側）の接続部の端部が、脚部２３側（照明装置１０の外方）に折れ曲がって形成される。こうすることで、取付け板４０が脚部２３に取り付けられる際に、係止部が脚部２３に引っかかるため、取付け板４０は係合部２４ａと被係合部４１ａとが係合する適切な位置で取付け板４０の動きは規制される。
【００４２】
図４に示されるように、取付け板４０は、脚部２３の他方の端部に形成された規制部２５ｂに、取付け板４０が折れ曲がって形成された角部が沿うように、脚部２３に形成された規制部２５ｂの上方から載置される。載置された取付け板４０は、接続部４１に形成された取付け板４０を貫通する被係合部４１ａに、脚部２３が有する板ばね２４の一部が突出して形成された係合部２４ａが係合することによって保持される。
【００４３】
透光カバー５０は、照明装置１０の外郭筐体の一部を構成する、本体２０と着脱可能なカバー部材である。透光カバー５０は、光透過部材５１と、立設部（筒体）５２とを備える。
【００４４】
光透過部材５１は、下方に向かって突出した略円形ドーム状の光学部材（グローブ）である。光透過部材５１は、例えば、白色又は乳白色であり、光拡散性（光散乱性）及び透光性を有する。
【００４５】
光透過部材５１は、筒体５２の下側の開口を塞ぐように筒体５２に取り付けられる。光透過部材５１は、具体的には、外側に向かって鍔状にせり出した光透過部材５１の縁が、カバー保持具（不図示）の下面と筒体５２の鍔状にせり出した部分の上面との間に挟み込まれることによって、筒体５２に取り付けられる。
【００４６】
光透過部材５１は、例えば、ガラスによって形成されるが、シリコーン樹脂、アクリル樹脂、又は、ポリカーボネート樹脂によって形成されてもよい。また、光透過部材５１は、表面にシルク印刷が行われることによって光拡散性を有してもよい。また、光透過部材５１は、シリカ又は炭酸カルシウムなどの光拡散材（微粒子）を含有することにより光拡散性を有してもよい。また、光透過部材５１の表面（内面又は外面）に光拡散材等を含む乳白色の光拡散膜を形成することで、光透過部材５１は光拡散性を有してもよい。また、光拡散材を用いるのではなくシボ加工処理等によって光透過部材５１の表面に微小凹凸を形成したり、光透過部材５１の表面にドットパターンを印刷したりすることで、光透過部材５１は光拡散性を有してもよい。また、上述した光拡散性を持たせる材料、形状等を組み合わせることで、光透過部材５１は光拡散性を有してもよい。
【００４７】
筒体５２は、発光部３０及び取付け板４０などを側方から囲む筒状筐体である。筒体５２は、円筒状であり、側壁部２２の側面と平行な方向に側面を有するように形成される。筒体５２は、本体２０及び光透過部材５１とともに、照明装置１０の外郭筐体を構成する。筒体５２は、外郭筐体の側壁部分に相当する。なお、図４に示されるように、筒体５２は、脚部２３には接触しない。筒体５２と脚部２３との間には空隙（空気層）が配置される。
【００４８】
筒体５２は、上側の開口に本体２０が配置された状態で回動されることにより、本体２０に接続される。筒体５２は、例えば、アルミダイカストによって形成されるが、その他の金属、又は、樹脂によって形成されてもよい。なお、筒体５２は、光透過部材５１と同一の材料によって、光透過部材５１と一体に形成されてもよい。
【００４９】
また、本体２０に透光カバー５０が取り付けられた場合に、照明装置１０は、発光部３０が出射する光の光軸方向の長さに対して、当該光軸方向に対して垂直な方向の長さの方が大きい扁平形状である。なお、本実施の形態においては、照明装置１０は、平面視において円形である。
【００５０】
なお、照明装置１０が防災用の照明装置として採用される場合、照明装置１０の外郭筐体を構成する本体２０及び透光カバー５０は、不燃性又は難燃性の材料で形成されるとよい。具体的には、上述したように、本体２０及び筒体５２はアルミダイカストによって形成され、光透過部材５１はガラスによって形成されるとよい。こうすることにより、火災が発生した際などに、照明装置１０が延焼によって発火することが抑制される。
【００５１】
図５に示されるように、取付け板４０は、本体２０の側方から取付け板４０がスライド挿入されることで、本体２０（具体的には脚部２３）に取り付けられる。具体的には、取付け板４０が本体２０へスライド挿入される方向（取り付けられる方向）は、構造物の施工面に対して平行な方向である。本実施の形態においては、構造物の施工面はＸＺ平面である。図５においては、取付け板４０はＸ軸正方向側へスライドされることで、脚部２３に取付けられる。
【００５２】
なお、ベース部２１に載置される蓄電池６０、制御ユニット７０及び端子台８０は、取付け板４０が本体２０にスライド挿入される際に取付け板４０と接触しない位置に載置されるとよい。具体的には、上述したように取付け板４０は略漏斗状であるため、載置面４２ａの上部ではなく、反射面４２ｂ又は取付け板４０の周縁部４４の上部に蓄電池６０、制御ユニット７０及び端子台８０が載置されるとよい。また、蓄電池６０、制御ユニット７０及び端子台８０は、取付け板４０がスライド挿入される側である本体２０のＸ軸負方向側ではなく、その反対側である本体２０のＸ軸正方向側に配置されるとよい。こうすることで、取付け板４０は、蓄電池６０、制御ユニット７０及び端子台８０に接触することなく、脚部２３に取付けられる。つまり、照明装置１０は小型化される。
【００５３】
また、図５に示されるように、取付け板４０は一対の接続部４１を有する。また、本体２０には、一対の脚部２３が立設される。ここで、一対の接続部４１と一対の脚部２３とはそれぞれが対応した位置に配置される。具体的には、脚部２３に取付け板４０がスライド挿入される際には、図５の一点鎖線の矢印の方向に取付け板４０はスライドされ、一方の接続部４１が一方の脚部２３に配置され、他方の接続部４１が他方の脚部２３に配置される。
【００５４】
以上、実施の形態に係る照明装置１０の構成について詳細に説明した。
【００５５】
次に、図６〜図１０を用いて、本体２０に透光カバー５０が着脱可能に取り付けられるために照明装置１０が備える構造について説明する。
【００５６】
図６は、実施の形態に係る照明装置１０の上方から見た分解斜視図である。なお、図６は、取付け板４０は本体２０に取り付けられており、透光カバー５０は本体２０に取り付けられていない状態の照明装置１０を示す図である。図７は、図６に示す破線ＶＩＩで囲まれた領域を示す部分拡大図である。
【００５７】
なお、本明細書において、第一弾性体１００に第一凸部１１０ａが係止（仮止め）されている状態を仮止め状態と記載し、第二弾性体１０１に第二凸部１１０ｂが係止（保持）されている状態を本締め状態と記載する場合がある。
【００５８】
図６及び図７に示されるように、透光カバー５０の筒体５２の内側側面には、内側側面から凸状に突起した、第一凸部１１０ａと第二凸部１１０ｂとで一組とした凸部が複数形成されている。第一凸部１１０ａ及び第二凸部１１０ｂは、本体２０の側壁部２２に形成された溝部９０に嵌め込まれる。
【００５９】
第一凸部１１０ａは、側面視において、ベース部２１の主面２１ａに対して平行な方向に長尺な矩形である。第一凸部１１０ａは、透光カバー５０が本体２０に保持される過程で、後述する第一弾性体１００に係止（仮止め）されるための凸部である。
【００６０】
第二凸部１１０ｂは、側面視において、ベース部２１の主面２１ａに対して垂直な方向に長尺な矩形である。つまり、第一凸部１１０ａ及び第二凸部１１０ｂを一体的に見た場合に、第一凸部１１０ａ及び第二凸部１１０ｂは、側面視において、Ｌ字状に形成される。第二凸部１１０ｂは、透光カバー５０が本体２０に保持された状態で、後述する第二弾性体１０１に係止（保持）されるための凸部である。
【００６１】
なお、第一凸部１１０ａ及び第二凸部１１０ｂは、図６に示す凸部（第三凸部）１１０のように一体的に形成されてもよい。言い換えると、第一凸部１１０ａ及び第二凸部１１０ｂは、側壁部２２の側面から連続して突出して形成されてもよい。第一凸部１１０ａ及び第二凸部１１０ｂが一体的に形成された凸部１１０の側面視における形状は、第一凸部１１０ａ及び第二凸部１１０ｂを一体的に見た場合と同様に、Ｌ字状に形成されるとよい。こうすることで、本体２０に透光カバー５０が取り付けられる過程において、第一弾性体１００に凸部１１０が着脱可能に係止され易くなり、且つ第二弾性体１０１に凸部１１０が着脱可能に係止され易くなる。
【００６２】
溝部９０は、透光カバー５０が本体２０に取り付けられるために形成された溝である。溝部９０は、側壁部２２の外側側面に形成され、筒体５２に形成された第一凸部１１０ａ及び第二凸部１１０ｂが嵌合される。溝部９０は、第一凸部１１０ａ及び第二凸部１１０ｂが嵌合されるように、第一凸部１１０ａ及び第二凸部１１０ｂの形状及び数に対応して形成される。溝部９０は、第一溝部９１と第二溝部９２とを含む。
【００６３】
第一溝部９１は、本体２０のベース部２１とは反対側の側壁部２２の端部からベース部２１の主面２１ａに対して交差する方向へ延在して形成された溝である。具体的には、第一溝部９１は、図５に示す一点鎖線で囲まれた範囲に形成された溝である。第一溝部９１には、第一弾性体１００が配置される。
【００６４】
第一弾性体１００は、透光カバー５０を着脱可能に保持する弾性体である。具体的には、第一弾性体１００は、透光カバー５０が本体２０に取り付けられる過程において、筒体５２の内側側面に形成された第一凸部１１０ａを一時的に係止する（仮止めする）。言い換えると、透光カバー５０は、第一弾性体１００によって本体２０に仮止めされる仮止め状態を取り得る。第一弾性体１００は、樹脂材料でもよい、ステンレス鋼材等の金属材料によって形成されたばね材でもよい。本実施の形態においては、第一弾性体１００は、板状のばね材である。
【００６５】
第二溝部９２は、本体２０のベース部２１とは反対側の側壁部２２の端から延在して形成された第一溝部が、さらにベース部２１の主面２１ａに対して平行な方向に屈曲して延在した溝である。第二溝部９２には、第二弾性体１０１が配置される。
【００６６】
第二弾性体１０１は、透光カバー５０を着脱可能に保持する弾性体である。具体的には、第二弾性体１０１は、透光カバー５０が本体２０に保持された状態（本締め状態）において、筒体５２の内側側面に形成された第二凸部１１０ｂを保持するために設けられる。第二弾性体１０１は、樹脂材料でもよい、ステンレス鋼材等の金属材料によって形成されたばね材でもよい。本実施の形態においては、第二弾性体１０１は、板状のばね材である。
【００６７】
なお、第一溝部９１は、筒体５２の端部からベース部２１の主面２１ａに対して垂直な方向へ延在し、さらに、当該垂直な方向に対して傾斜して延在し第二溝部９２と連通するとよい。こうすることで、仮止め状態と、本締め状態とで、本体２０に対する透光カバー５０の外観上の設置位置が異なる。具体的には、筒体５２の上側端部の位置が、仮止め状態と、本締め状態とで異なるようになる。これにより、本体２０に透光カバー５０を取り付ける作業者は、仮止め状態なのか本締め状態なのかが確認しやすい。
【００６８】
図８は、照明装置１０の、透光カバー５０が本体２０に仮止めされた状態を示す外観斜視図である。図８に示されるように、照明装置１０が仮止め状態の場合、本体２０と透光カバー５０との間に隙間１２０が形成される。具体的には、照明装置１０が仮止め状態の場合、側壁部２２と筒体５２との間に、照明装置１０の内部が目視できる隙間１２０が形成される。これにより、本体２０に透光カバー５０を取り付ける作業者は、照明装置１０が仮止め状態なのか本締め状態なのかを確認しやすい。
【００６９】
図９は、図８のＩＸ−ＩＸ線に沿って切断された照明装置１０を示す断面図である。図９に示されるように、透光カバー５０が本体２０に仮止め状態のとき、第一凸部１１０ａは第一弾性体１００に係止された状態となる。この状態においては、作業者が透光カバー５０から手を放しても、透光カバー５０は本体２０から外れて落下しない。
【００７０】
図１０は、図６の破線ＶＩＩで囲まれた領域における透光カバー５０が本体２０に取り付けられるまでの過程を示す部分拡大図である。なお、図１０においては、本体２０は、照明装置１０の上方（Ｙ軸正方向側）に位置する構造物に取り付けられているものとする。また、図１０においては、第一弾性体１００、第二弾性体１０１、第一凸部１１０ａ及び第二凸部１１０ｂは、断面が示されているものではないが、説明のためにハッチングを付して図示している。
【００７１】
まず、図１０の（ａ）に示されるように、本体２０に透光カバー５０に取り付けられる際には、まず、第一凸部１１０ａ及び第二凸部１１０ｂは第一溝部９１に嵌め込まれるように通過する。なお、図１０の一点鎖線で囲まれた領域が第一溝部９１を示す領域であり、図１０の二点鎖線で囲まれた領域が第二溝部９２を示す領域である。透光カバー５０を本体２０に取り付ける作業者は、透光カバー５０を本体２０に押し込むことで、第一凸部１１０ａ及び第二凸部１１０ｂが第一溝部９１に嵌め込まれるように通過する。ここで、第二凸部１１０ｂは、第一溝部９１と接触して第一溝部９１を通過する。具体的には、第二凸部１１０ｂは、第一溝部９１の第一面９１ａと接触することで、透光カバー５０の、主面２１ａ（例えば、図４参照）に対して平行な方向の動きを規制する。
【００７２】
次に、図１０の（ｂ）に示されるように、第一凸部１１０ａが第一弾性体１００に係止された状態である仮止め状態となる。つまり、図１０の（ｂ）は、照明装置１０が図８及び図９に示す仮止め状態のときの第一凸部１１０ａ及び第二凸部１１０ｂと溝部９０との位置関係を示す図である。この場合、透光カバー５０は本体２０に一時的に係止された状態となるため、作業者が透光カバー５０から手を放しても、透光カバー５０は本体２０に係止され、本体２０から外れて落下しない。そのため、作業者は透光カバーの取り付け作業がし易くなる。
【００７３】
次に、図１０の（ｃ）に示されるように、第一凸部１１０ａ及び第二凸部１１０ｂは第二溝部９２に嵌め込まれるように移動される。具体的には、作業者は、透光カバー５０を本体２０にさらに押し込みながら回転させることで、第一凸部１１０ａ及び第二凸部１１０ｂが第二溝部９２に嵌め込まれるように移動する。ここで、第一凸部１１０ａは、図１０の（ｂ）に示す第二面９１ｂと接触して第二溝部９２へ移動される。
【００７４】
次に、図１０の（ｄ）に示されるように、作業者が透光カバー５０をさらに回転させることで、第二凸部１１０ｂが第二弾性体１０１に保持された状態である本締め状態となる。つまり、図１０の（ｄ）は、照明装置１０が図１に示す本締め状態のときの第一凸部１１０ａ及び第二凸部１１０ｂと溝部９０との位置関係を示す図である。この場合、第二凸部１１０ｂが第二弾性体１０１に保持され、且つ第二溝部９２が有する下側の面である第三面９２ａに第二凸部１１０ｂが支持された状態となるため、仮止め状態よりも透光カバー５０は本体２０から落下しにくくなる。
【００７５】
以上、本実施の形態に係る照明装置１０について説明した。なお、本実施の形態においては、溝部９０は、本体２０が有する側壁部２２の外側側面に形成され、第一凸部１１０ａ（及び第二凸部１１０ｂ）は、筒体５２の内側側面に形成された。しかしながら、溝部９０が側壁部２２に形成され、第一凸部１１０ａが筒体５２に形成されなくてもよい。具体的には、溝部９０が筒体５２に形成され、第一凸部１１０ａが側壁部２２に形成されてもよい。つまり、溝部９０は、筒体（立設部）５２及び側壁部２２の一方の側面に形成されればよい。また、第一凸部１１０ａは、筒体（立設部）５２及び側壁部２２の他方の側面に形成されればよい。これにより、作業者は透光カバー５０を本体２０から着脱する際に、ワイヤー等によって本体２０に透光カバー５０をつるすことなく、透光カバー５０から一度手を離して透光カバー５０を持ち直すことができる。つまり、簡便な構成で仮止め状態が形成され得る。
【００７６】
（効果等）
以上説明したように、実施の形態に係る照明装置１０は、主面２１ａを有するベース部２１と、ベース部２１の周縁で主面２１ａに対して垂直な方向に立設される側壁部２２とを有する本体２０と、本体２０に配置される発光部３０と、を備える。また、照明装置１０は、側壁部２２に平行な方向に立設される筒体（立設部）５２を有し、発光部３０が出射する光を透過する透光カバー５０を備える。また、照明装置１０は、透光カバー５０を本体２０と着脱可能に係止し、筒体（立設部）５２及び側壁部２２の一方の側面に形成された溝部９０に配置される第一弾性体１００を備える。溝部９０は、筒体（立設部）５２及び側壁部２２の一方の側面の端部から主面２１ａに交差する方向へ延在する第一溝部９１と、ベース部２１の主面２１ａに平行な方向へ延在する第一溝部９１と連通された第二溝部９２とを含む。第一弾性体１００は、第一溝部９１に配置される。筒体（立設部）５２及び側壁部２２の他方は、透光カバー５０が本体２０に保持される過程で第一弾性体１００に仮止めされる第一凸部１１０ａを有する。
【００７７】
こうすることで、照明装置１０は、透光カバー５０を一時的に本体２０に仮止めする仮止め状態を取り得る。これにより、作業者は、透光カバー５０を本体２０から着脱する過程において、一時的に透光カバー５０から手を離すことができる。つまり、作業者は透光カバー５０を本体２０から着脱する際に、ワイヤー等によって本体２０に透光カバー５０をつるすことなく、設け透光カバー５０から一度手を離して透光カバー５０を持ち直すことができる。そのため、作業者は、本体２０と透光カバー５０との着脱しやすくなる。つまり、照明装置１０によれば、透光カバー５０を取り付ける作業者の作業性が向上される。
【００７８】
また、第一溝部９１は、筒体（立設部）５２及び側壁部２２の一方の端部からベース部２１の主面２１ａに対して垂直な方向へ延在し、さらに、当該垂直な方向に対して傾斜して延在し第二溝部９２と連通してもよい。
【００７９】
こうすることで、照明装置１０は、仮止め状態と本締め状態とで、本体２０に対する透光カバー５０の外観上の設置位置が異なる。そのため、本体２０に透光カバー５０を取り付ける作業者は、仮止め状態なのか本締め状態なのかが確認しやすい。
【００８０】
また、照明装置１０は、さらに、第二溝部９２に配置される第二弾性体１０１を備えてもよい。また、筒体（立設部）５２及び側壁部２２の他方は、透光カバー５０が本体２０に保持された状態において、第二弾性体１０１に係止される第二凸部１１０ｂを有してもよい。
【００８１】
これにより、照明装置１０が本締め状態の場合に、第二凸部１１０ｂは、第二弾性体１０１に係止される。そのため、照明装置１０が本締め状態の場合に、透光カバー５０は本体２０から外れにくくなる。
【００８２】
また、側面視において、第一凸部１１０ａは、ベース部２１の主面２１ａに対して平行な方向に長尺でもよいし、第二凸部１１０ｂは、ベース部２１の主面２１ａに対して垂直な方向に長尺でもよい。
【００８３】
これにより、仮止め状態において、第一弾性体１００に第一凸部１１０ａが係止され易くなり、且つ本締め状態において第二弾性体１０１に第二凸部１１０ｂに保持され易くなる。
【００８４】
また、第一凸部１１０ａ及び第二凸部１１０ｂは、筒体（立設部）５２及び側壁部２２の他方の側面から連続して突出されてもよい。つまり、第一凸部１１０ａ及び第二凸部１１０ｂは、凸部１１０として一体的に形成されてもよい。
【００８５】
これにより、第一凸部１１０ａと第二凸部１１０ｂと別々に形成する場合と比較して、簡便に形成され得る。
【００８６】
また、第一弾性体１００に第一凸部１１０ａが仮止めされている状態のとき、側壁部２２の一部は、側壁部２２の一部と筒体（立設部）５２との間に隙間１２０が形成されるように、側壁部２２の他部よりベース部２１の主面２１ａからの高さが低く形成されてもよい。
【００８７】
つまり、側面視において、照明装置１０は、仮止め状態のときには、本体２０と透光カバー５０との間に隙間１２０が形成され、仮止め状態のときには、本体２０と透光カバー５０との間に隙間１２０が形成されない。そのため、本体２０に透光カバー５０を取り付ける作業者は、仮止め状態なのか本締め状態なのかが確認しやすい。
【００８８】
また、照明装置１０は、さらに、発光部３０が載置され、本体２０に着脱可能に取り付けられる取付け板４０を備えてもよい。
【００８９】
つまり、照明装置１０の光源である発光部３０が照明装置１０と着脱可能に取り付けられる。そのため、照明装置１０は、発光部３０が故障した際に発光部３０を交換されやすい。
【００９０】
また、取付け板４０は、発光部３０が載置される載置面４２ａ、及び、発光部３０が出射する光を反射する、載置面４２ａの周囲に配置された反射面４２ｂを有してもよい。
【００９１】
これにより、発光部３０から出射される光は、効率良く照明装置１０の内部から照明装置１０の外部へ導かれる。そのため、照明装置１０の光利用効率は向上される。
【００９２】
また、発光部３０は取付け板４０の略中央に配置されてもよく、取付け板４０は、発光部３０から離れるにつれて開口面積が広がる漏斗形状でもよい。
【００９３】
これにより、反射面４２ｂで反射される発光部３０から出射される光は、照明装置１０の外部へより効率よく導かれる。
【００９４】
また、照明装置１０は、さらに、取付け板４０に覆われてベース部２１に載置され、発光部３０に電力を供給する蓄電池６０を備えてもよい。
【００９５】
これにより、照明装置１０は、停電などが発生した際においても、蓄電池６０から発光部３０へ電力が供給される。そのため、例えば災害などが発生した場合に外部交流電源から電力が供給されない場合においても、発光部３０は光を出射することができる。
【００９６】
（その他の実施の形態）
以上、実施の形態に係る照明装置について説明したが、本発明は、このような実施の形態に限定されるものではない。
【００９７】
上記実施の形態で説明された照明装置の形状は、一例である。例えば、上記実施の形態では、照明装置の平面視形状は、円形であったが、照明装置の平面視形状は、矩形などの多角形であってもよい。
【００９８】
また、上記実施の形態では、発光部として、ＣＯＢ型の発光モジュールが用いられたが、発光部の態様は特に限定されるものではない。例えば、ＳＭＤ型の発光モジュールが発光部として用いられてもよい。また、発光部には、ＬＥＤチップを用いた発光モジュールに代えて、蛍光管、メタルハライドランプ、ナトリウムランプ、ハロゲンランプ、キセノンランプ、または、ネオン管等が用いられてもよい。また、発光部には、無機エレクトロルミネッセンス、有機エレクトロルミネッセンス、ケミルミネッセンス（化学発光）、または、半導体レーザー等が用いられてもよい。
【００９９】
以上、一つまたは複数の態様に係る照明装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【符号の説明】
【０１００】
１０  照明装置
２０  本体
２１  ベース部
２１ａ  主面
２２  側壁部
３０  発光部
４０  取付け板
４２ａ  載置面
４２ｂ  反射面
５０  透光カバー
５２  筒体（立設部）
６０  蓄電池
９０  溝部
９１  第一溝部
９２  第二溝部
１００  第一弾性体
１０１  第二弾性体
１１０  凸部（第三凸部）
１１０ａ  第一凸部
１１０ｂ  第二凸部
１２０  隙間
【図１】
2018077995.tif 000003
【図２】
2018077995.tif 000004
【図３】
2018077995.tif 000005
【図４】
2018077995.tif 000006
【図５】
2018077995.tif 000007
【図６】
2018077995.tif 000008
【図７】
2018077995.tif 000009
【図８】
2018077995.tif 000010
【図９】
2018077995.tif 000011
【図１０】
2018077995.tif 000012